(57)【要約】【課題】媒体を切断する切断刃により切断された媒体の切断面が切断刃と接触する虞を低減できる切断装置、その切断方法及びこの切断装置を備えた印刷装置を提供すること。【解決手段】切断装置７０は、媒体を切断する切断刃７２と、媒体における切断刃７２の切り込みにより切断面が形成された部分と接触することにより、切断面が切断刃７２と対向しないように媒体の姿勢を変える姿勢変更部７９と、を備える。【選択図】図８
2017035768.tif 000002
【特許請求の範囲】
【請求項１】
媒体を切断する切断刃と、
前記媒体における前記切断刃の切り込みにより切断面が形成された部分と接触することにより、前記切断面が前記切断刃と対向しないように前記媒体の姿勢を変える姿勢変更部と、を備えることを特徴とする切断装置。
【請求項２】
請求項１に記載の切断装置であって、
前記姿勢変更部は、前記切断刃が前記媒体を切断する方向である切断方向を軸として前記媒体を回動させるように傾斜していることを特徴とする切断装置。
【請求項３】
請求項２に記載の切断装置であって、
前記切断方向から見たときに、前記切断刃に対して前記媒体が進入する方向を基準とした前記姿勢変更部の傾斜角度は、３０度以上６０度以下であることを特徴とする切断装置。
【請求項４】
請求項１乃至請求項３のうち何れか一項に記載の切断装置であって、
前記姿勢変更部のうち、前記切断刃に対して前記媒体が進入する方向から見たときに前記切断刃と重なる部分は、前記切断刃が前記媒体を切断する方向である切断方向に沿うように形成されていることを特徴とする切断装置。
【請求項５】
請求項１乃至請求項４のうち何れか一項に記載の切断装置であって、
前記切断刃により切断された前記媒体を、前記切断刃が前記媒体を切断する方向である切断方向と交差する交差方向に押し出す押出部を備えることを特徴とする切断装置。
【請求項６】
請求項５に記載の切断装置であって、
前記押出部は、前記姿勢変更部により姿勢が変えられた前記媒体を押し出すことを特徴とする切断装置。
【請求項７】
請求項１乃至請求項６のうち何れか一項に記載の切断装置であって、
前記切断刃は、第一の刃と、第二の刃とを含み、
前記切断刃に対して前記媒体が進入する方向から見たときに、前記第一の刃と前記第二の刃とが重なる領域で前記媒体が切断されることを特徴とする切断装置。
【請求項８】
請求項１乃至請求項７のうち何れか一項に記載の切断装置と、
前記媒体に画像を印刷する印刷部と、を備えることを特徴とする印刷装置。
【請求項９】
媒体を切断する切断刃と、前記媒体における前記切断刃の切り込みにより切断面が形成された部分と接触する姿勢変更部と、を備えた切断装置における切断方法であって、
前記切断刃によって前記媒体を切り込み、
前記姿勢変更部によって、前記切断面が前記切断刃と対向しないように前記媒体の姿勢を変えることを特徴とする切断方法。
【発明の詳細な説明】
【技術分野】
【０００１】
本発明は、媒体を切断する切断装置、その切断方法及びこの切断装置を備える印刷装置に関する。
【背景技術】
【０００２】
従来から、搬送される媒体に対して印刷を行うプリンターが知られている。こうしたプリンターの中には、印刷が行われた媒体を所望の大きさに切断するカッター装置（切断装置）を備えたものがある。たとえば、特許文献１に記載のプリンターは、媒体を切断するロータリー刃（切断刃）を保持するカッターキャリッジ（移動体）が、媒体の搬送方向と交差する走査方向に往復移動することで媒体を切断するカッター装置を備えている。
【先行技術文献】
【特許文献】
【０００３】
【特許文献１】特開２００３−２６０８３０号公報
【発明の概要】
【発明が解決しようとする課題】
【０００４】
ところで、たとえば剥離紙のような、粘着剤が塗布された媒体をカッター装置が切断する場合、媒体の切断面を介して粘着剤がロータリー刃に付着することがある。ロータリー刃に粘着剤が付着すると、粘着剤だけでなく紙粉や塵埃などが付着し、装置の動作に影響を及ぼすことがある。そのため、媒体の切断面が切断刃と接触することは好ましくない。
【０００５】
本発明は、上記実情に鑑みてなされたものであり、その目的は、媒体を切断する切断刃により切断された媒体の切断面が切断刃と接触する虞を低減できる切断装置、その切断方法及びこの切断装置を備えた印刷装置を提供することにある。
【課題を解決するための手段】
【０００６】
以下、上記課題を解決するための手段及びその作用効果について記載する。
上記課題を解決する切断装置は、媒体を切断する切断刃と、前記媒体における前記切断刃の切り込みにより切断面が形成された部分と接触することにより、前記切断面が前記切断刃と対向しないように前記媒体の姿勢を変える姿勢変更部と、を備える。
【０００７】
この構成によれば、媒体を切断する切断刃により切断された媒体の切断面が切断刃と接触する虞を低減できる。
上記切断装置において、前記姿勢変更部は、前記切断刃が前記媒体を切断する方向である切断方向を軸として前記媒体を回動させるように傾斜していることが好ましい。
【０００８】
この構成によれば、切断された媒体の姿勢を変更させる際の、媒体にかかる負荷が小さい。したがって、媒体の切断面が切断刃と接触することを好適に抑制できる。
上記切断装置において、前記切断方向から見たときに、前記切断刃に対して前記媒体が進入する方向を基準とした前記姿勢変更部の傾斜角度は、３０度以上６０度以下であることが好ましい。
【０００９】
この構成によれば、媒体の姿勢を変更させつつ媒体を支持することができるため、媒体の切断面が切断刃と接触する虞を低減しつつ媒体の姿勢を安定させることができる。
上記切断装置において、前記姿勢変更部のうち、前記切断刃に対して前記媒体が進入する方向から見たときに前記切断刃と重なる部分は、前記切断刃が前記媒体を切断する方向である切断方向に沿うように形成されていることが好ましい。
【００１０】
この構成によれば、切断刃によって切断されるときの媒体の姿勢を安定させることができる。
上記切断装置においては、前記切断刃により切断された前記媒体を、前記切断刃が前記媒体を切断する方向である切断方向と交差する交差方向に押し出す押出部を備えることが好ましい。
【００１１】
この構成によれば、媒体の切断面が交差方向に押し出されるため、媒体の切断面が切断刃と接触する虞が低減される。
上記切断装置において、前記押出部は、前記姿勢変更部により姿勢が変えられた前記媒体を押し出すことが好ましい。
【００１２】
この構成によれば、媒体の姿勢を変更させてから交差方向に押し出すため、媒体にかかる負荷が小さい。したがって、媒体の切断面が切断刃と接触することを好適に抑制できる。
【００１３】
上記切断装置において、前記切断刃は、第一の刃と、第二の刃とを含み、前記切断刃に対して前記媒体が進入する方向から見たときに、前記第一の刃と前記第二の刃とが重なる領域で前記媒体が切断されることが好ましい。
【００１４】
この構成によれば、複数の刃で媒体を切断するため、好適に媒体を切断できる。
上記課題を解決する印刷装置は、上記構成の切断装置と、前記媒体に画像を印刷する印刷部と、を備える。
【００１５】
この構成によれば、印刷装置において、媒体を切断する切断刃により切断された媒体の切断面が切断刃と接触する虞を低減できる。
上記課題を解決する切断方法は、媒体を切断する切断刃と、前記媒体における前記切断刃の切り込みにより切断面が形成された部分と接触する姿勢変更部と、を備えた切断装置における切断方法であって、前記切断刃によって前記媒体を切り込み、前記姿勢変更部によって、前記切断面が前記切断刃と対向しないように前記媒体の姿勢を変える。
【００１６】
この構成によれば、媒体を切断する切断刃により切断された媒体の切断面が切断刃と接触する虞を低減できる。
【図面の簡単な説明】
【００１７】
【図１】切断装置を備えるプリンターの一実施形態の斜視図。
【図２】プリンターの内部構造を模式的に示す側断面図。
【図３】切断機構の斜視図。
【図４】切断装置の正面図。
【図５】切断装置の斜視図。
【図６】図４における６−６線矢視断面図。
【図７】切断装置が反待機位置に向けて移動するときの正面図。
【図８】切断装置が反待機位置に向けて移動するときの斜視図。
【図９】切断装置が媒体を切断するときの状態を模式的に示す図。
【図１０】切断装置が反待機位置に向けて移動するときの上面図。
【発明を実施するための形態】
【００１８】
以下、切断装置を備えた印刷装置の一種であるインクジェット式プリンター（以下、「プリンター」と略す場合もある。）の一実施形態について図を参照して説明する。
図１に示すように、プリンター（印刷装置）１１は、脚台１２に支持される直方体状の筐体１３と、筐体１３の背面に取り付けられ、筐体１３の背面から上方に向かって突出する給送部２０とを備えている。給送部２０には、媒体の一例である用紙Ｐが円筒状に巻き重ねられたロール紙Ｒが装填されている。そして、給送部２０は、装填されたロール紙Ｒを覆うように開閉可能に設けられた給送カバー２１を備えている。また、給送部２０には、ロール紙Ｒを回転可能に保持する保持ユニット２２が、給送部２０の長手方向（図１において左右方向）における両端に設けられている。
【００１９】
筐体１３の上部であって、筐体１３の背面側には、給送部２０に装填されたロール紙Ｒから繰り出される用紙Ｐを筐体１３内へ給送するための給送口１４が開口している。また、筐体１３の上部であって、筐体１３の背面側とは反対となる前面側には、筐体１３内をメンテナンスするためのメンテナンスカバー１５が開閉可能に設けられている。また、筐体１３の上部であって、筐体１３の長手方向の一端（図１においては右端）には、プリンター１１を操作するための操作部１６が設けられている。そして、筐体１３の前面には、給送口１４から筐体１３内に給送された用紙Ｐを筐体１３外へ排出するための排出口１７が開口している。さらに、筐体１３の前面であって、長手方向の一端（図１においては右端）には、たとえばインクなどの印刷剤である液体を収容する液体収容体が着脱可能に保持される液体収容体保持部１８が設けられている。
【００２０】
図２に示すように、筐体１３内には給送部２０から給送される用紙Ｐを搬送する搬送部３０と、用紙Ｐを鉛直方向Ｚの下側から支持する支持台４０と、支持台４０に支持される用紙Ｐに文字や写真等の画像を印刷する印刷部５０と、印刷された用紙Ｐを切断する切断機構６０とが備えられている。搬送部３０は、用紙Ｐを表裏両面から挟んで支持する複数の搬送ローラー３１、３２、３３、３４を含んで構成されている。そして、給送部２０から繰り出される用紙Ｐは、搬送ローラー３１〜３４の回転駆動により搬送方向Ｙに沿って搬送される。
【００２１】
鉛直方向Ｚにおいて、支持台４０の上方に設けられる印刷部５０は、図２において紙面と直交する方向となる走査方向Ｘに沿って往復移動可能な印刷用キャリッジ５１と、印刷用キャリッジ５１に搭載され、搬送部３０に搬送される用紙Ｐに対してインクを吐出することで印刷を行うヘッド５２とを備えている。すなわち、印刷部５０は、搬送方向Ｙと交差する走査方向Ｘに移動することで、用紙Ｐに印刷を行う。なお、本実施形態において、走査方向Ｘは、筐体１３、給送部２０の長手方向と一致し、鉛直方向Ｚは、走査方向Ｘ及び搬送方向Ｙの双方と交差する。
【００２２】
印刷部５０によって印刷が行われた用紙Ｐは、搬送方向Ｙにおいて印刷部５０よりも下流側に設けられた切断機構６０により切断され、切断された用紙Ｐは単票紙となって排出口１７から筐体１３外へ排出される。
【００２３】
次に、切断機構６０について説明する。
図３に示すように、切断機構６０は、走査方向Ｘに沿って延びるように設けられるガイドレール６１と、ガイドレール６１に沿って移動することで用紙Ｐを切断する切断装置７０とを備えている。切断装置７０は、ガイドレール６１に沿って往復移動可能に取り付けられたキャリッジ（移動体）７１と、キャリッジ７１に保持され、用紙Ｐを切断する切断刃７２とを有している。つまり、切断装置７０は、媒体を切断する切断刃７２を備えている。切断刃７２は、キャリッジ７１の移動に伴って駆動回転する駆動刃（第一の刃）７２ａと、駆動刃７２ａの回転に従動回転する従動刃（第二の刃）７２ｂとが、鉛直方向Ｚに並んで設けられることで構成されている。つまり、切断刃７２は、第一の刃と、第二の刃とを含んでいる。すなわち、切断装置７０は、走査方向Ｘに往復移動可能に設けられている。このとき、走査方向Ｘは、切断刃７２が媒体を切断する方向である切断方向に相当する。
【００２４】
ガイドレール６１は、走査方向Ｘにおいて給送部２０が装填可能なロール紙Ｒよりも長尺に設けられ、切断装置７０は、そのガイドレール６１において搬送方向Ｙの下流側を向く面に取り付けられている。このとき、搬送方向Ｙは、切断刃７２に対して媒体が進入する方向に相当する。そして、ガイドレール６１内には、切断装置７０を走査方向Ｘに往復移動させるための伝達機構６２が設けられている。
【００２５】
伝達機構６２は、走査方向Ｘにおいてガイドレール６１の両端に設けられたプーリー６３、６４と、プーリー６３、６４に巻き掛けられた環状のベルト６５とを備えている。また、図３において、ガイドレール６１の左端に設けられているプーリー６３と同軸上には、プーリー６３と一体回転可能に設けられる歯車６３ａが取り付けられている。そして、ベルト６５には、切断装置７０が有するキャリッジ７１が図示しない連結部材を介して連結されている。
【００２６】
走査方向Ｘにおいてガイドレール６１の一端（図３において左端）には、電動モーター６６が設けられている。この電動モーター６６の出力軸にはピニオン６７が取り付けられていて、電動モーター６６は、このピニオン６７がプーリー６３と同軸上に設けられた歯車６３ａと噛み合うようにガイドレール６１に取り付けられている。すなわち、電動モーター６６の駆動によってピニオン６７が回転され、ピニオン６７の回転により歯車６３ａを介してプーリー６３が回転される。そして、プーリー６３が回転することにより、ベルト６５を介してプーリー６４が回転され、ベルト６５の駆動に伴い切断装置７０がガイドレール６１に沿って移動される。すなわち、伝達機構６２は、電動モーター６６の駆動をキャリッジ７１に伝達する。
【００２７】
ここで、図３に示すように、本実施形態においては、ガイドレール６１の右端側が、キャリッジ７１の待機位置とされている。電動モーター６６が正転駆動することで、キャリッジ７１は、ガイドレール６１の左端側、すなわち待機位置とは反対側となる反待機位置に向けて移動される。そして、電動モーター６６が逆転駆動することで、キャリッジ７１は、ガイドレール６１の右端側、すなわち待機位置に向けて移動される。
【００２８】
また、キャリッジ７１が反待機位置に向けて移動する際、切断刃７２を構成する駆動刃７２ａは、ベルト６５の駆動によって、図３において時計回り方向に回転されるよう構成されている。一方、従動刃７２ｂは、反時計回り方向に回転される。すなわち、キャリッジ７１が待機位置に向けて移動する際、駆動刃７２ａと従動刃７２ｂは、互いに逆向きに回転される。そして、キャリッジ７１が待機位置に向けて移動する際には、駆動刃７２ａは反時計回り方向に、従動刃７２ｂは時計回り方向に回転される。
【００２９】
次に、切断装置７０の構成について説明する。
図４に示すように、円形状の切断刃７２を保持するキャリッジ７１は、駆動刃７２ａを保持する下側部７３と、従動刃７２ｂを保持する上側部７４とを含んで構成されている。そして、下側部７３と上側部７４は、走査方向Ｘにおけるキャリッジ７１の右側寄りとなる連結部分７５で互いに連結されている。キャリッジ７１に保持される駆動刃７２ａ及び従動刃７２ｂは、鉛直方向Ｚにおいて互いに周縁の一部分が重なるように設けられ、搬送方向Ｙにおいて駆動刃７２ａが下流側、従動刃７２ｂが上流側となるよう配置されている。また、搬送方向Ｙから見たときに、駆動刃７２ａと従動刃７２ｂとが重なる領域が、切断領域Ａである。切断領域Ａは、切断刃７２による媒体の切断が行われる領域である。つまり、切断刃７２に対して媒体が進入する方向から見たときに、第一の刃と第二の刃とが重なる領域で媒体が切断される。
【００３０】
鉛直方向Ｚにおいて、下側部７３と上側部７４との間には、切断装置７０が用紙Ｐを切断する際に用紙Ｐが通過する切断通路７６が設けられている。切断通路７６には、その途中に切断刃７２が露出するように設けられ、切断通路７６を通過する用紙Ｐは、切断刃７２と接触することで切断される。そして、キャリッジ７１における走査方向Ｘにおいて切断刃７２よりも左側となる切断通路７６の導入口７６ａは、用紙Ｐが外側である左側から切断通路７６へ導入され易いように、左側に向かうにつれて鉛直方向Ｚにおける上下の開きが大きくなるよう形成されている。
【００３１】
キャリッジ７１において、切断刃７２が露出する部分であって、鉛直方向Ｚにおける下側部７３の上部には、走査方向Ｘに沿って延びる第一面７７が形成されている。また、下側部７３の上部であって、走査方向Ｘにおいて切断刃７２が設けられる位置よりも右側には、第一面７７の右端と連続し、右側に向かうにつれて鉛直方向Ｚの上側に傾斜するように延びる第二面７８が形成されている。すなわち、この第一面７７及び第二面７８は、切断通路７６の一部を構成している。そして、第二面７８の右端であって、導入口７６ａとは反対側となる切断通路７６の終端には、切断通路７６を通過することで切断刃７２により切断された用紙が切断通路７６から右側（外側）へ導出される導出口７６ｂが形成されている。
【００３２】
図４及び図５に示すように、鉛直方向Ｚにおける下側部７３の上部には、搬送方向Ｙの下流側に向かって鉛直方向Ｚの下方に傾斜する傾斜面７９が設けられている。傾斜面７９は、媒体における切断刃７２の切り込みにより切断面が形成された部分と接触することにより、切断面が切断刃７２と対向しないように媒体の姿勢を変える姿勢変更部として機能する。姿勢変更部の詳細は後述する。この傾斜面７９は、下側部７３の上部において搬送方向Ｙの下流側寄りとなる位置に設けられ、走査方向Ｘにおいて第一面７７及び第二面７８に沿って形成されている。すなわち、傾斜面７９は、搬送方向Ｙにおいて第一面７７及び第二面７８よりも下流側に形成され、切断通路７６の一部を構成している。換言すると、傾斜面７９において、搬送方向Ｙから見たときに切断刃７２と重なる部分は、走査方向Ｘに沿うように形成されている。つまり、姿勢変更部のうち、切断刃７２に対して媒体が進入する方向から見たときに切断刃７２と重なる部分は、切断方向に沿うように形成されている。また、この傾斜面７９は、搬送方向Ｙに沿う直線を基準としたときの傾斜角度θが、３０度以上６０度以下であることが好ましい。言い換えれば、切断方向から見たときに、切断刃７２に対して媒体が進入する方向を基準とした姿勢変更部の傾斜角度は、３０度以上６０度以下であることが好ましい。本実施形態では、一例として傾斜角度θが４５度に設定されている。
【００３３】
図５及び図６に示すように、キャリッジ７１において、下側部７３と上側部７４とを連結する連結部分７５には、搬送方向Ｙの上流側から下流側に向かってせり出すように形成された押出部８０が設けられている。搬送方向Ｙとは、切断方向と交差する交差方向であるとも言える。つまり、切断装置７０は、切断刃７２により切断された媒体を、切断刃７２が媒体を切断する方向である切断方向と交差する交差方向に押し出す押出部８０を備えている。この押出部８０は、切断通路７６内において第二面７８及び傾斜面７９と隣り合うよう設けられ、走査方向Ｘにおいて左側から右側に向かうにつれて搬送方向Ｙの下流側にせり出す量が大きくなるよう傾斜した形状を有している。すなわち、押出部８０は、切断通路７６の導出口７６ｂにて最も大きく下流側へせり出している。そして、押出部８０は、姿勢変更部により姿勢が変えられた媒体を押し出すこととなる。
【００３４】
図６に示すように、駆動刃７２ａは、搬送方向Ｙと交差する走査方向Ｘに沿うように配置される従動刃７２ｂに対して所定角度（せらし角という）だけ傾いた姿勢で配置されている。このように二枚の刃のうち一方の刃を他方の刃に対して所定角度だけ傾けて設けることで、媒体を切断し易くなる。このため、図４及び図６に示すように、搬送方向Ｙから見たときに駆動刃７２ａと従動刃７２ｂとが重なる切断領域Ａのうち、走査方向Ｘにおいて左側となる導入口７６ａ寄りの切断開始点Ｃにおいて、駆動刃７２ａと従動刃７２ｂとが用紙Ｐを挟み込み、用紙Ｐにせん断応力を加えることで用紙Ｐが切断される。この切断領域Ａは、走査方向Ｘにおいて、傾斜面７９の左端と重なるように位置し、切断領域Ａの左端となる切断開始点Ｃは、傾斜面７９の左端よりも左側に位置している。
【００３５】
なお、切断刃７２には、用紙Ｐを切断し易くするために、その円形状の切断刃７２の周縁に対して径方向の外側に向かって先細りとなる刃先を形成する勾配が付けられている。因みに、本実施形態において切断刃７２を構成する駆動刃７２ａ及び従動刃７２ｂは、相手方の刃と重なりをもって接触する側面とは反対側の側面だけに、その周縁に先細りとなる刃先を形成する勾配が付けられた、いわゆる片刃に形成されている（図９参照）。
【００３６】
次に上記のように構成されたプリンター（印刷装置）１１の作用について、特に切断装置７０を用いた用紙Ｐの切断方法に着目して説明する。なお、図７、図８及び図１０に示す白抜きの矢印は、キャリッジ７１が移動する方向を示している。
【００３７】
図７及び図８に示すように、切断装置７０が用紙Ｐを切断する際には、キャリッジ７１が走査方向Ｘにおいて右側から左側に向けて移動、すなわち反待機位置に向けて移動する。このとき、用紙Ｐが、鉛直方向Ｚに開口した導入口７６ａを介して切断通路７６に用紙Ｐの右端部を先頭にして導入される。切断通路７６に導入された用紙Ｐは、切断通路７６の一部を構成する第一面７７によって鉛直方向Ｚの下側から支持されながら、回転する切断刃７２によって切断開始点Ｃにて側端（図７において右端）から切り込まれる。切断開始点Ｃを通過した用紙Ｐの一部分は、切断刃７２による切り込みによって、上流側用紙部分Ｐ１と下流側用紙部分Ｐ２とに分離される（図９参照）。そして、切断刃７２に切り込まれることで分離された下流側用紙部分Ｐ２は、キャリッジ７１の移動に伴って切断領域Ａを通過するとともに、第一面７７及び第二面７８に沿って切断通路７６の導出口７６ｂから導出される。
【００３８】
また、切断通路７６に導入された用紙Ｐが切断開始点Ｃを通過する際、切断刃７２により切り込まれることで、用紙Ｐに切断面が形成される。このため、キャリッジ７１の移動に伴い、切断領域Ａにおいて切断刃７２により形成された用紙Ｐの切断面と切断刃７２とが接触する虞がある。
【００３９】
ここで、切断される用紙Ｐが、たとえば剥離紙のように粘着剤を有する媒体である場合、その切断時において、用紙Ｐの切断面を介して切断刃７２に粘着剤が付着することがある。そして、そのように切断刃７２に粘着剤が付着すると、その粘着剤に対して用紙Ｐの紙粉や空気中の塵埃がさらに付着し、切断刃７２の回転動作に影響を及ぼす虞がある。そこで、本実施形態における切断装置７０は、傾斜面７９及び押出部８０を備えることで、切断刃７２に粘着剤が付着する虞を低減している。さらに、塵埃等の付着物が付着する虞も低減している。
【００４０】
図７及び図８に示すように、切断刃７２により切り込まれることで分離された下流側用紙部分Ｐ２は、切断通路７６に形成された第一面７７、第二面７８及び傾斜面７９に沿って切断通路７６の導出口７６ｂに向けて案内される。キャリッジ７１の移動に伴い下流側用紙部分Ｐ２が傾斜面７９に摺接する（すべりながら接触する）ことにより、下流側用紙部分Ｐ２は、傾斜面７９に支持されるとともに、傾斜面７９に沿う姿勢に変更される。すなわち、下流側用紙部分Ｐ２の下流端が、切断面となる上流端よりも鉛直方向Ｚにおける位置が低くなるように姿勢を変更させる。換言すると、傾斜面７９は、用紙Ｐに摺接することで用紙Ｐの姿勢を変更させる姿勢変更部として機能する。つまり、切断装置７０は、媒体における切断刃７２の切り込みにより切断面が形成された部分と接触することにより、切断面が切断刃７２と対向しないように媒体の姿勢を変える姿勢変更部を備えている。
【００４１】
図９に示すように、下流側用紙部分Ｐ２は、傾斜面７９によって搬送方向Ｙの下流側に向かって鉛直方向Ｚの下方に傾く姿勢に変更されることで、その切断面となる上流端が上方を向く姿勢に変更される。すなわち、切断刃７２により分離された下流側用紙部分Ｐ２は、図９において二点鎖線で示すように下流側用紙部分Ｐ２の切断面が切断刃７２と対向する姿勢から、実線で示すように下流側用紙部分Ｐ２の切断面が切断刃７２と対向しない姿勢に変更される。つまり、姿勢変更部は、切断刃７２が媒体を切断する方向である切断方向を軸として媒体を回動させるように傾斜していることになる。下流側用紙部分Ｐ２の切断面が切断刃７２と対向しない姿勢に変更されることで、下流側用紙部分Ｐ２の切断面が切断刃７２に接触する虞が低減される。
【００４２】
なお、切断装置７０は、搬送方向Ｙの下流側に配置される駆動刃７２ａと上流側に配置される従動刃７２ｂとで上下に挟み込んで用紙Ｐを切断するため、上流側用紙部分Ｐ１の切断面は駆動刃７２ａの平坦な側面と接触する可能性があり、下流側用紙部分Ｐ２の切断面は従動刃７２ｂの平坦な側面と接触する可能性がある。但し、本実施形態においては、駆動刃７２ａが従動刃７２ｂに対して所定角度（せらし角）だけ傾いた姿勢で配置されている。すなわち、駆動刃７２ａは、上流側用紙部分Ｐ１の切断面を含む端部から離れる方向に傾斜した姿勢となっている。したがって、上流側用紙部分Ｐ１の切断面を含む端部と駆動刃７２ａの平坦な側面とが接触する可能性は低い。それよりも、本実施形態においては、下流側用紙部分Ｐ２の切断面を含む端部と従動刃７２ｂの平坦な側面とが接触する虞がより顕著となっているため、傾斜面７９により用紙Ｐの切断面が切断刃７２に接触する虞が効果的に低減される。
【００４３】
図１０に示すように、傾斜面７９により姿勢が変更された下流側用紙部分Ｐ２は、切断通路７６内に設けられた押出部８０によって搬送方向Ｙの下流側に押し出される。傾いた姿勢となった下流側用紙部分Ｐ２が押出部８０に押し出されることで、下流側用紙部分Ｐ２の切断面が切断刃７２から離され、下流側用紙部分Ｐ２の切断面と切断刃７２とが接触する虞が低減される。なお、図１０に示す下流側用紙部分Ｐ２の切断面の位置は、説明の理解を容易にするために誇張して図示している。
【００４４】
上述したように、切断装置７０が用紙Ｐを切断する際、まず、キャリッジ７１の走査方向Ｘにおける移動に伴って、切断通路７６に導入された用紙Ｐに切断刃７２が切り込みを入れる。そして、切断刃７２の切り込みによって形成された用紙Ｐの切断面が切断刃７２と対向しないよう用紙Ｐの姿勢を傾斜面７９が変更させる。その後、姿勢が変更された用紙Ｐを押出部８０が下流側へ押し出す。こうして、走査方向Ｘにおける用紙Ｐの全域に亘って切断刃７２が切り込みを入れることで、切断装置７０による用紙Ｐの切断が完了する。
【００４５】
上記の切断方法についてまとめると、媒体を切断する切断刃７２と、媒体における切断刃７２の切り込みにより切断面が形成された部分と接触する姿勢変更部と、を備えた切断装置７０における切断方法であって、切断刃７２によって媒体を切り込み、姿勢変更部によって、切断面が切断刃７２と対向しないように媒体の姿勢を変えることを特徴とする切断方法である。これにより、媒体を切断する切断刃７２により切断された媒体の切断面が切断刃７２と接触する虞を低減できる。
【００４６】
また、上述したように、上記実施形態は、切断装置７０と、媒体に画像を印刷する印刷部５０と、を備える印刷装置に適用可能である。
上記実施形態によれば、以下のような効果を得ることができる。
【００４７】
（１）切断刃７２で用紙Ｐを切断するためにキャリッジ７１が走査方向Ｘに移動すると、用紙Ｐには切断刃７２により切り込みが入れられ、切断面が形成される。そして、その用紙Ｐにおいて切断面が形成された部分に対して、キャリッジ７１の移動に伴い、キャリッジ７１が備える傾斜面７９が摺接することによって、用紙Ｐは、その切断面が切断刃７２と対向しないように姿勢が変更される。したがって、用紙Ｐを切断する切断刃７２により切断された用紙Ｐの切断面が切断刃７２と接触する虞を低減できる。
【００４８】
（２）傾斜面７９は、搬送方向Ｙの下流側に向けて鉛直方向Ｚの下方に傾斜する面であるため、傾斜面７９によって切断された用紙Ｐの姿勢が変更される際の用紙Ｐにかかる負荷が小さい。したがって、用紙Ｐの切断面が切断刃７２と接触することを好適に抑制できる。
【００４９】
（３）傾斜面７９の傾斜角度θを３０度以上６０度以下の範囲（一例として４５度）で形成することにより、用紙Ｐの姿勢を変更させつつ用紙Ｐを支持することができる。したがって、用紙Ｐの切断面が切断刃７２と接触する虞を低減しつつ用紙Ｐの姿勢を安定させることができる。
【００５０】
（４）傾斜面７９のうち、走査方向Ｘにおいて切断領域Ａと重なる部分は、走査方向Ｘに沿うように設けられているため、切断刃７２により切断するときに用紙Ｐの姿勢を安定させることができる。
【００５１】
（５）押出部８０により用紙Ｐの切断面が搬送方向Ｙの下流側に向けて押し出されるため、用紙Ｐの切断面が切断刃７２から離され、用紙Ｐの切断面が切断刃７２と接触する虞が低減される。
【００５２】
（６）傾斜面７９により用紙Ｐの姿勢を変更させてから、押出部８０により搬送方向Ｙの下流側に向けて押し出すため、用紙Ｐにかかる負荷が小さい。したがって、用紙Ｐの切断面が切断刃７２と接触することを好適に抑制できる。
【００５３】
（７）駆動刃７２ａ及び従動刃７２ｂの二枚の刃で用紙Ｐを切断するため、好適に用紙Ｐを切断できる。
（８）切断通路７６を構成する第二面７８によって、下流側用紙部分Ｐ２の上流端を鉛直方向Ｚにおいて上方に持ち上げることで切断された用紙Ｐの排出を促すことができる。
【００５４】
なお、上記実施形態は以下のように変更してもよい。
・上記実施形態において、下流側用紙部分Ｐ２の姿勢を変更させる傾斜面７９は、傾斜した面に限らず、湾曲した曲面であってもよいし、段差を有する面であってもよい。
【００５５】
・上記実施形態において、傾斜面７９は、下流側用紙部分Ｐ２の姿勢を搬送方向Ｙの下流側に向けて鉛直方向Ｚの下方に傾斜させるよう変更させる構成に限らず、下流側に向けて上方に傾斜させるように変更させる構成であってもよい。
【００５６】
・上記実施形態において、搬送方向Ｙを基準とした傾斜面７９の傾斜角度θは、必ずしも３０度以上６０度以下である必要はなく、３０度以下であっても、６０度以上であってもよい。
【００５７】
・上記実施形態において、押出部８０は、図４において走査方向Ｘの左側から右側に向かうにつれてせり出す量が大きくなるよう傾斜した構成に限らない。たとえば、湾曲した面であってもよいし、段差を有する面であってもよい。
【００５８】
・上記実施形態において、用紙Ｐにおいて切断面が形成された部分の姿勢を変更させる傾斜面７９は、キャリッジ７１の搬送方向Ｙの上流側寄りとなる位置にも設けてもよい。上流側寄りの位置に設けることで、上流側用紙部分Ｐ１の切断面が切断刃７２と対向しないよう姿勢が変更され、切断刃７２に付着物が付着する虞をより低減できる。
【００５９】
・上記実施形態において、切断刃７２は、ベルト６５の駆動により駆動回転される駆動刃７２ａと、駆動刃７２ａの回転に従動回転される従動刃７２ｂとからなる構成に限らない。たとえば、切断装置７０に別途設けられたモーターの駆動により、駆動刃７２ａが回転される構成でもよいし、駆動刃７２ａ及び従動刃７２ｂの両者が駆動回転される構成であってもよい。また、切断刃７２を構成する刃の枚数は二枚に限らず、一枚又は三枚以上であってもよい。
【００６０】
・上記実施形態において、切断装置７０は、切断刃７２に切り込まれた用紙Ｐを押出部８０によって押し出した後に傾斜面７９によって用紙Ｐの姿勢を変更させる構成であってもよい。
【００６１】
・上記実施形態において、切断装置７０が切断する媒体は、紙だけに限らず、布帛や金属箔、プラスチックなど、様々なシート状媒体を採用してもよい。
・上記実施形態において、プリンター１１が備える印刷部５０は、インクを用紙Ｐに吐出することにより印刷する構成に限らない。たとえば、トナーにより印刷を行う構成であってもよいし、その他様々な印刷剤を採用してもよい。
【００６２】
・上記実施形態において、プリンター１１が備える印刷部５０は、走査方向Ｘに往復移動することで用紙Ｐに印刷を行うシリアルヘッド式に限らない。たとえば、走査方向Ｘにおいて長尺に設けられたラインヘッド式の印刷部５０であってもよいし、ラテラル式であってもよい。
【００６３】
・上記実施形態において、用紙Ｐを搬送する搬送部３０は、ローラーに限らず、コンベヤベルトであってもよい。
【符号の説明】
【００６４】
１１…プリンター（印刷装置）、５０…印刷部、７０…切断装置、７１…キャリッジ（移動体）、７２…切断刃、７２ａ…駆動刃（第一の刃）、７２ｂ…従動刃（第二の刃）、７３…下側部、７４…上側部、７５…連結部分、７６…切断通路、７６ｂ…導出口、７８…第二面、７９…傾斜面（姿勢変更部）、８０…押出部、θ…傾斜角度、Ｃ…切断開始点、Ｐ…用紙（媒体）、Ｐ２…下流側用紙部分、Ｘ…走査方向（切断方向）、Ｙ…搬送方向（交差方向）、Ｚ…鉛直方向。
【図１】
2017035768.tif 000003
【図２】
2017035768.tif 000004
【図３】
2017035768.tif 000005
【図４】
2017035768.tif 000006
【図５】
2017035768.tif 000007
【図６】
2017035768.tif 000008
【図７】
2017035768.tif 000009
【図８】
2017035768.tif 000010
【図９】
2017035768.tif 000011
【図１０】
2017035768.tif 000012